Podtech/llm-jp-corpus-v4-ja_patent huggingface dataset:
(57)【要約】【課題】  車椅子使用者にとっては足元が見えづらいのが現状で有り、その為に細段差にて走行不能または転倒事故を発生していた、それらを事前に防止することで有ります。【解決手段】  車椅子の左右前方向車輪の前に、高さ方向距離センサーにて高さを検知して、車椅子使用者に事前に細段差を知らせ、また前方向カメラ撮影にてテレビにて走行路面状態を事前に使用者に伝達することにて、走行不能および転倒事故を未然に防止することが出来る様にした。【選択図】図３
0003128086.tif 000002
【実用新案登録請求の範囲】
【請求項１】
電動および手動車椅子の前車輪の前方に、距離測定センサーを設けて、車椅子使用者に事前に細段差の有無を知らせて、走行不能および転倒防止を計った、車椅子の細段差検知装置である。
【請求項２】
電動および手動車椅子の前方向を撮影するカメラを設けて、走行する路面の細段差変化を事前に知ることにて、走行不能および転倒防止を計れれることを特長とした、請求項１の車椅子の細段差検知装置である。
【考案の詳細な説明】
【技術分野】
【０００１】  本考案は、足の不自由な方々が電動および手動車椅子を使用する場合、自分の足元が見ずらい為に、細段差に気づかず走行不能ときには転倒することを防止する為の、福祉器具の分野に属します。
【背景技術】
【０００２】  図１（電動車椅子の場合）．図２（手動車椅子の場合）．共に走行前方の足元を確認出来る装置が無いのが現状であり、細段差には特に気づかず、走行不能または転倒事故を発生していた。
【考案が解決しようとする課題】
【０００３】  車椅子使用者に確認しずらい、走行前方の足元の路面状況、特に細段差の有無を知らせることにて、走行不能および転倒事故を防止することであります。
【課題を解決するための手段】
【０００４】  これ以降は添付図面  図１・２・３・４  を参照の上で説明する。
【０００５】  図３・図４にて説明する、前方向走行車輪の両前方側に、走行路面との距離センサー（記号ＬＷＦＣ・ＲＷＦＣ）を設け細段差を検知し、事前に車椅子使用者に細段差の有無をシグナル（振動またはライト点滅にて）（記号ＬＷＦＳ・ＲＷＦＳ）にて使用者用者に伝達して、走行不能および転倒防止を施した。
【考案を実施するための最良の形態】
【０００６】  図３・図４にて説明する、走行前方向の路面状況を前方方向カメラ（記号ＦＰＣ）にて常時撮影して前方向路面状況を前方向テレビ（記号ＦＣＥＴ）にて、使用者に伝達することにて、走行不能および転倒事故の防止とした。【０００７】  図４にて説明する、手動車椅子には一般的には台（記号３２）が無い、よって取外し可能な台（記号３２）を設けた。【０００８】  以上［０００５］から［０００８］にて記載した考案説明により、［請求項１］［請求項２］の課題は解決され、使用可能状態と成った。
【図面の簡単な説明】
【０００９】
【図１】  従来からの電動車椅子使用の場合を示す。
【図２】  従来からの手動車椅子使用の場合を示す。
【図３】  電動車椅子に本考案を組込んだ場合を示す。
【図４】  手動車椅子に本考案を組込んだ場合を示す。
【符号の説明】
【００１０】１１      電動車椅子使用者
１２      手動車椅子使用者
２１      電動車椅子
２２      電動車椅子の運転装置
２３      手動車椅子
３１      電動車椅子、前車輪の前方向・高さ方向距離センサー取付架台
３２      手動車椅子用、検知機器取付台
３３      手動車椅子、前車輪の前方向・高さ方向距離センサー取付架台
３４      前車輪の右側前方向・高さ方向距離センサー取付架台
３５      前車輪の左側前方向・高さ方向距離センサー取付架台
３６      前方撮影カメラ取付台
ＬＷＦＣ  右側・高さ方向距離センサー
ＲＷＦＣ  左側・高さ方向距離センサー
ＬＷＦＥ  右側・高さ方向距離センサーの検知範囲
ＲＷＦＥ  左側・高さ方向距離センサーの検知範囲
ＬＷＦＳ  右側・細段差の有無シグナル（振動またはライト点滅）
ＲＷＦＳ  左側・細段差の有無シグナル（振動またはライト点滅）
ＦＰＣ    前方撮影カメラ
ＦＣＥ    前方撮影カメラの撮影範囲
ＦＣＥＴ  前方撮影カメラからの映像受診テレビ
【図１】
0003128086.tif 000003
【図２】
0003128086.tif 000004
【図３】
0003128086.tif 000005
【図４】
0003128086.tif 000006
【手続補正書】
【提出日】平成18年9月22日(2006.9.22)
【手続補正１】
【補正対象書類名】実用新案登録請求の範囲
【補正対象項目名】全文
【補正方法】変更
【補正の内容】
【実用新案登録請求の範囲】
【請求項１】
電動および手動車椅子の前車輪の前方に、走行路面方向に向けた距離測定センサーを設けて、走行路面にある細段差の有無を事前に車椅子使用者に振動またはライト点滅にて知らせて、車椅子使用者の安全走行を計ったことを特長とした車椅子の細段差検知装置である。
【請求項２】
電動および手動車椅子の前方向の走行路面を撮影するカメラを設けて、走行路面にある細段差の有無を事前に車椅子使用者に映像として知らせて、車椅子使用者の安全走行を計ったことを特長とした、請求項１の車椅子の細段差検知装置である。
(57)【要約】【課題】  書籍に傍線等のマーキングを施したいときにはマーカーペンなどの筆記具を用いるが、書籍を汚損してしまうことになり、書籍の価値を減ずることになる。消せるものもあるが、インクなどが残ることや擦ったりする跡が残ること、また、消す手間がかかるという問題があった。また、付箋紙は正確にかつ必要な部分全体をマークすることは難しく、また、隣接する他の文字列を覆い隠してしまったり、行間の幅程度に裁断して代用するものは着脱の操作がしづらく不便である。【解決手段】  そこで、指先で操作しやすい程度の幅をもった帯状の透明または半透明の薄いシートに傍線または下線に相当する着色線を施し、さらにシートを着脱しても書籍を汚損しないような粘着剤または接着剤をシートの裏面に塗布したものを考案した。【選択図】図１
0003128081.tif 000002
【実用新案登録請求の範囲】
【請求項１】
書籍などの文字列に傍線または下線を施すために、透明または半透明の薄い帯状のシートに傍線または下線を着色し、書籍などを汚損することなくシートを着脱できるような粘着剤または接着剤をそのシートの裏側に塗布した特徴を持つ傍線、下線付け具。
【請求項２】
シートを着脱する操作がしやすいように、シートは指で扱いやすい適度な幅を持つとともに、シートの一部に粘着材を塗布しない部分を残した請求項１に記載の傍線、下線付け具
【請求項３】
シートをロール上に形成し、必要な長さに切り取って用いることができるようにした請求項１ないし２に記載の傍線、下線付け具。
【請求項４】
シートを適当な長さに切りそろえたものを貼り重ね、必要に応じて剥がして用いることができる請求項１ないし２に記載の傍線、下線付け具。
【考案の詳細な説明】
【技術分野】
【０００１】  本考案は、書籍等を汚損することなく傍線または下線を容易に施したり取り外したりすることができるシートに関する。
【背景技術】
【０００２】  書籍の文字列に傍線または下線を施す場合には、従来はラインマーカーなどの筆記具を使用するか、あるいは付箋を貼ることによってマーカーの代用をしていた。
【考案の開示】
【考案が解決しようとする課題】
【０００３】  書籍に傍線等のマーキングを施したいときにはマーカーペンなどの筆記具を用いるが、書籍を汚損してしまうことになり、書籍の価値を減ずることになる。消せるものもあるが、インクなどが残ることや擦ったりする跡が残ること、また、消す手間がかかるという問題があった。また、付箋紙は正確にかつ必要な部分全体をマークすることは難しく、また、隣接する他の文字列を覆い隠してしまったり、行間の幅程度に裁断して代用するものは着脱の操作がしづらく不便である。
【課題を解決するための手段】
【０００４】  そこで、指先で操作しやすい程度の幅をもった帯状の透明または半透明の薄いシートに傍線または下線に相当する着色線を施し、さらにシートを着脱しても書籍を汚損しないような粘着剤または接着剤をシートの裏面に塗布したものを考案した。
【考案の効果】
【０００５】  着脱しても書籍を汚損することがないシート上に着色された傍線等であるため、傍線等を取り外したいときにはシートを取り外せばよい。シートを透明または半透明にすることによって、シートを貼付するときに隣接する文字列を覆っても隣接する文字列が隠れることがないため、シートの幅を文字列の行間幅に限定することなく、指先で着脱操作をしやすい程度のシートの幅を確保することができる（図１）。これらのことによって、一度施した傍線等を取り除きたいときにはシートを剥がすだけという容易な操作ですむようになる。
【考案を実施するための最良の形態】
【０００６】  シート幅は１０〜１２ｍｍ程度で、長さ５〜６ｍの長尺のものを巻き取っておき、必要な長さに切り取って使用できるようにする。図２に示すように、表側の傍線等はシートの片側の端にできるだけ近づけて着色する。裏側に塗布する粘着剤等の幅は、シート幅の半分程度とし、シートの長辺に沿って塗布するが、その位置は片側に寄せて表側から見て傍線等の真下になるようにする。図３に示すように、粘着剤等を塗布しない部分をシートの半分程度確保することによって、シートを取り外すときに剥がす操作をしやすくしている。また、長尺のものとは別に、長さ５ｃｍ程度に切りそろえたシートを数十枚貼り重ねておき、一枚ずつ取り外して使用できるようにしておけば、長さは固定されるが切り取る装置や手間がかからない簡便なものとして利用できる。
【図面の簡単な説明】
【０００７】
【図１】  本考案に係るシートを書籍に使用した概念図である。シートの周辺を黒線で表しているが実際は透明又は半透明なシートであるので黒線は現れない。
【図２】  シートの表側。傍線等を着色する位置の図である。
【図３】  シートの裏側。粘着剤等を塗布する幅と位置を示した図である。表側から見て傍線等の真下に位置する。
【符号の説明】
【０００８】  １      書籍
２      文字列
３      シート
４      傍線または下線等の着色線
５      粘着剤または接着剤を塗布した部分
【図１】
0003128081.tif 000003
【図２】
0003128081.tif 000004
【図３】
0003128081.tif 000005
【手続補正書】
【提出日】平成18年8月17日(2006.8.17)
【手続補正１】
【補正対象書類名】実用新案登録請求の範囲
【補正対象項目名】全文
【補正方法】変更
【補正の内容】
【実用新案登録請求の範囲】
【請求項１】
書籍などの文字列に傍線または下線を施すために、透明または半透明の薄い帯状のシートに傍線または下線を着色し、書籍などを汚損することなくシートを着脱できるような粘着剤または接着剤をそのシートの裏側に塗布した特徴を持つ傍線、下線付け具。
【請求項２】
シートを着脱する操作がしやすいように、シートは指で扱いやすい適度な幅を持つとともに、シートの一部に粘着材を塗布しない部分を残した請求項１に記載の傍線、下線付け具
【請求項３】
シートをロール状に形成し、必要な長さに切り取って用いることができるようにした請求項１または２に記載の傍線、下線付け具。
【請求項４】
シートを適当な長さに切りそろえたものを貼り重ね、必要に応じて剥がして用いることができる請求項１または２に記載の傍線、下線付け具。
(57)【要約】【課題】本考案はトイレの手洗いに関して、いかに衛生的に少量の水で洗浄できるかを、追及した考案です。【解決手段】トイレの使用後にそのままの姿勢で足元のフットスイッチで手洗いシンクが開閉でき手を差し出すと自動的に水が出て洗浄し、使用後きれいな手で衣服が整えられる。【選択図】図２
0003128088.tif 000002
【実用新案登録請求の範囲】
【請求項１】
トイレの使用後に座ったままで足元のフットスイッチで手洗いシンクをすぐ取り出して衣服を整える前に手洗いが済ませることが出来るように、また手洗い後は邪魔にならないように格納することが出来るのが特徴の「収納式トイレの手洗いシンク」です。
【考案の詳細な説明】
【技術分野】
【０００１】本考案は手洗いシンクを壁内に収納、取り出しが手を触れることなく足もとのスイッチで出来、また赤外線で自動給水が出来るようにした手洗いシンクに関するもの。
【背景技術】
【０００２】従来は、トイレの使用後は汚れた手で衣服を整えてその後に手洗いをしていた。
【考案が解決しようとする課題】
【０００３】トイレの使用後、衣服を整える前に手を洗ったら衛生的であると考え、しかもそのままの姿勢で使用でき、済んだら格納して邪魔にならないように出来る。
【課題を解決するための手段】
【０００４】壁内に電動で収納出来る手洗いシンクを作り付け、足元のフットスイッチの操作で水道管を中心に９０度回転して出てきて、使用後はフットスイッチの操作で格納でき手を一切使わないので衛生的です。
【考案の効果】
【０００５】トイレの使用後すぐに手洗いが出来て衛生的、しかも電動で格納出来るので邪魔にならず見た目にもすっきりとする。
【考案を実施するための最良の形態】
【０００６】トイレの壁内に排水管を中心に電動で回転して出てくる手洗いシンクを取り付け、使用する時は足元のフットスイッチで出てきて手を一切使わず、水も赤外線で自動給水、シャワー方式の節水型で、使用後はフットスイッチの操作で格納。
また一回り大きな排水管の内側に給水管を通すことで排水管を中心に手洗い扉が開閉出来、下に受水皿を設けることで漏水の時は対応できる。
【図面の簡単な説明】
【０００７】
【図１】トイレ内の配置図
【図２】手洗いシンクの平面図（正面図）
【図３】手洗いシンクの上面図
【符号の説明】
１        収納部扉
２        床
３        フットスイッチ
４        水洗便器
５        水洗タンク
６        蛇口（シャワー付）
７        歯車（大）
８        モーター
９        手洗いシンク
１０      給水管
１１      排水受皿
１２      排水管
１３      排水口
【図１】
0003128088.tif 000003
【図２】
0003128088.tif 000004
【図３】
0003128088.tif 000005
【手続補正書】
【提出日】平成18年10月10日(2006.10.10)
【手続補正１】
【補正対象書類名】実用新案登録請求の範囲
【補正対象項目名】全文
【補正方法】変更
【補正の内容】
【実用新案登録請求の範囲】
【請求項１】
トイレの壁内に排水管を中心に電動で回転して出てくる手洗いシンクを取付け、また便器下方の足元にはフットスイッチを設け、該フットスイッチの操作で上記手洗いシンクが壁内から出たり、壁内へ格納できるものとなしてあることを特徴とした収納式トイレの手洗いシンク。
(57)【要約】【課題】  本考案は骨折などで通常の靴が履けない状態の時にそれに代わるものである。【解決手段】  本考案は本体１にマジックテープ（登録商標）をそれぞれ付け着脱を容易にし、２の足首部分に幅広のゴムを入れてずり落ちを防止し、３の足底は足袋と同じ形状とすることでより足にフィットするようになる。さらにギブスの汚れを防止するだけでなく汚れを気にせず地に足をつけることが出来るので肉体的負担を軽減できる。屋内用、屋外用を使い分けることで通常の靴、スリッパと同じ役割を果たす。【選択図】図２
0003128085.tif 000002
【実用新案登録請求の範囲】
【請求項１】
カバーの前の部分と後ろの部分を少し開け、それぞれマジックテープを付け、足首部分はずり落ちることのないように幅広のゴムを入れ、靴底の部分には足袋と同じ形状とすることで足にしっかりとフィットするようにしたことを特徴とするギブス用足カバー。
【考案の詳細な説明】
【技術分野】
【０００１】本考案は足の骨折等により、外出時又は室内においてギブスをした状態で履く足カバーである。
【背景技術】
【０００２】足の骨折等で、ギブスをはめた状態では通常使用している靴が履けないことにより、それに変わるものが必要となるため。
【考案の開示】
【考案が解決しようとする課題】
【０００３】通常使用している靴が履けないことにより、屋外で直接地に足をつけるとギブスが汚れ不衛生であるが、足カバーを使用することにより、汚れを防止できる。
屋内では屋外で使用したカバーを代えることで、屋内を汚すことなく生活することができる。
ギブスを汚すことなく地面又は床に着地できることで、肉体的負担を軽減し、体のバランスを保つことが容易となる。
【課題を解決するための手段】
【０００４】  本考案は、足カバーの前の部分と後ろの部分を少し開けてそれぞれにマジックテープをつけることで着脱が楽に出来、足首には幅広ゴムを入れることでずり落ちを防ぎさらに靴底は足袋と同じ要領で作ることで足のフィット感を良くし、外見上も良い。
【考案の効果】
【０００５】マジックテープで足カバーの前後を開閉することで着脱が容易になり、足首部分に幅広ゴムを入れることによってずり落ちを防止し、底を付けたことでよりフィット感が増し、見た目も靴に近いものになる。
【考案を実施するための最良の形態】
【０００６】足カバーの前後をマジックテープにより開閉することで、着脱が容易となり足首部分をゴムで固定することで、足からの脱落を防止する。
更に靴底をつけることでより靴に近い安定感が生まれ、見た目の良さも向上する。
【実施例】
【０００７】  外出用としては水を通さない素材、屋内用としては保温性・通気性に優れた素材を使用することで、ギブスを汚すことなく快適に生活することができる。
【産業上の利用可能性】
【０００８】外科、整形外科等で利用可能。
【図面の簡単な説明】
【０００９】
【図１】本考案のギブス用足カバーの真横図である。
【図２】本足カバーの真上からの図である。
【符号の説明】
【００１０】１  マジックテープ
２  幅広ゴム
３  足底
【図１】
0003128085.tif 000003
【図２】
0003128085.tif 000004
【手続補正書】
【提出日】平成18年9月26日(2006.9.26)
【手続補正１】
【補正対象書類名】実用新案登録請求の範囲
【補正対象項目名】全文
【補正方法】変更
【補正の内容】
【実用新案登録請求の範囲】
【請求項１】
カバーの前の部分と後ろの部分を少し開け、それぞれマジックテープ（登録商標）を付け、足首部分はずり落ちることのないように幅広のゴムを入れ、靴底の部分には足袋と同じ形状とすることで足にしっかりとフィットするようにしたことを特徴とするギブス用足カバー。
【手続補正２】
【補正対象書類名】明細書
【補正対象項目名】０００４
【補正方法】変更
【補正の内容】
【０００４】本考案は、足カバーの前の部分と後ろの部分を少し開けてそれぞれにマジックテープ（登録商標）をつけることで着脱が楽に出来、足首には幅広ゴムを入れることでずり落ちを防ぎ、さらに靴底は足袋と同じ要領で作ることで足のフィット感を良くし、外見上も良い。
【手続補正３】
【補正対象書類名】明細書
【補正対象項目名】０００５
【補正方法】変更
【補正の内容】
【０００５】マジックテープ（登録商標）で足カバーの前後を開閉することで着脱が容易になり、足首部分に幅広ゴムを入れることによってずり落ちを防止し、底を付けたことでよりフィット感が増し、見た目も靴に近いものになる。
【手続補正４】
【補正対象書類名】明細書
【補正対象項目名】０００６
【補正方法】変更
【補正の内容】
【０００６】足カバーの前後をマジックテープ（登録商標）により開閉することで着脱が容易となり、足首部分をゴムで固定することで足からの脱落を防止する。更に靴底をつけることでより靴に近い安定感が生まれ、見た目の良さも向上する。
【手続補正５】
【補正対象書類名】明細書
【補正対象項目名】００１０
【補正方法】変更
【補正の内容】
【００１０】１  マジックテープ（登録商標）
２  幅広ゴム
３  足底
(57)【要約】【課題】    ２つの色違いの宝石２石での、難しかった本体への繊細な反転、反射を、本体の形状及び宝石の配置や角度で解決しようとする物である。【解決手段】  本考案は２石の宝石を本体中央部及び下部に縦に留め、本体の形状を深い御椀型にし、滑らかで急なラインを作り、２宝石で２色の繊細な反射を可能にすると共に下部の宝石は上面より見えない為に神秘性も兼ね備えている。【選択図】図１
0003128083.tif 000002
【実用新案登録請求の範囲】
【請求項１】
本体中央部に、二色の宝石を縦に二つ留める事と、本体形状の特殊な反転、反射を組合せ、上面からは中央に留めた上の宝石一色しか見えない本体への反射した色を、隠れて見えない下の石のもう一色をも反射させた色を認める身飾り品。
【考案の詳細な説明】
【技術分野】
【０００１】  本考案は、二色の宝石を縦に２石、本体中央に留め、宝石の色を、本体の形状及び宝石の留めた位置により、その２石の２色を繊細に本体に反転、反射させたものである。
【背景技術】
【０００２】  今迄の１宝石の１色の反射のみならず、２宝石２色を１つの本体に、綺麗に且つ繊細に反転、反射させるために開発。
【考案の開示】
【考案が解決しようとする課題】
【０００３】  ２石２色での難しかった本体への繊細な反転、反射を、本体の形状及び宝石の配置や角度で解決しようとする物である。
【課題を解決するための手段】
【０００４】  ２石の宝石を本体中央部に縦に留め、本体の形状を深い御椀型にし、滑らかで急なラインを作り、２宝石で２色の繊細な反転、反射を可能にしている。
【考案の効果】
【０００５】  ２宝石で２色を本体に繊細に反転、反射させることを可能とし、その上、下の石を見えない位置に配置する事により、神秘性をも兼ね備えている。
【考案を実施するための最良の形態】
【０００６】  本体の形状を深い御椀型にし、滑らかで急なラインを作り、色の違う２石の宝石を本体中央部に縦に留め、下の石を見えないようにセットし、上の石を出来るだけ本体空間の中央部にセットする事により、２宝石の２色の繊細な反転、反射を可能にしている。
【実施例】
【０００７】  以下、添付図面に従って説明します。１、は中央に留めた宝石で４、はその下に留めた色違いの宝石で２、がその二石囲むようにして作られた鏡面状の本体で３、の部分が４の石の色が２の本体に反転、反射色を認める位置。
【図面の簡単な説明】
【０００８】
【図１】  本考案に係わる、二色の反転、反射をさせた身飾り品の上面の一例。
【図２】  本考案に係わる、二色の反転、反射をさせた身飾り品の断面図の一例。
【符号の説明】
【０００９】  １  本体中央に留められた宝石
２  本体
３  ４の反射色を認める位置
４  １の下に留められた宝石
【図１】
0003128083.tif 000003
【図２】
0003128083.tif 000004
【手続補正書】
【提出日】平成18年9月22日(2006.9.22)
【手続補正１】
【補正対象書類名】実用新案登録請求の範囲
【補正対象項目名】全文
【補正方法】変更
【補正の内容】
【実用新案登録請求の範囲】
【請求項１】
本体の形状を深い御椀型にし、滑らかで急なラインを作り、色の違う２石の宝石を本体中央部に縦に留め、下の石を見えないようにセットし、上の石を出来るだけ本体空間の中央部にセットする事により、上面から１色石しか見えない身飾り品の本体に、もう１色を本体の淵に反射させた身飾り品。
(57)【要約】      （修正有）【課題】かご漁業操業における漁具の積載スペースを最小にとどめると共に漁労作業面における労力の軽減とその効率化並びに安全性の向上を図る。【解決手段】本考案によって、船上にあっては、浮体リング１、網成り保持リング３および網地４の自重によって自然に上部が下辺に折り重なって扁平になり、海中に投入すると、浮体リング１および網成り保持リング３に作用する浮力と丸鋼材リング２に働く沈降力によって自動的に立体的に展帳し、その状態で沈降して海底に敷設され、かご漁具としての機能を果たすことができると共に、船の航走による幹綱の繰り出しに伴ってかご漁具を順次自動的に海中に投入できるので、積載スペースを最小にとどめると共に、漁労作業面における労力を軽減して、その効率化および安全性の向上を図ることが可能である。【選択図】図１
0003128082.tif 000002
【実用新案登録請求の範囲】
【請求項１】
船上にあっては、浮体リング１、浮体機能を有する網成り保持リング３および網地４の自重によって自然に上部が下辺の丸鋼材リング２に折り重なって扁平になり、海中に投入すると、浮体リング１および網成り保持リング３に作用する浮力と丸鋼材リング２に働く沈降力によって自動的に立体的に展帳し、その状態で沈降して海底に敷設され、本来の機能を果たすかご漁具。
【考案の詳細な説明】
【考案の開示】
【考案が解決しようとする課題】
【０００１】現在、かご漁具には、固定型と折りたたみ型があり、両者共に広く用いられてきている。船上に積載する場合、固定型は大きなスペースを必要とするのに対して、折りたたみ型は、所要スペースがより少なくてすむという利点があるものの、投網前には組み立てなければならず、一時的であるにせよ相当の積載スペースを必要とし、両者共に解決されなければならない問題が残る。【０００２】折りたたみ型かご漁具の場合、人手によって投網前には組み立て、揚網後には組み立てを解かなければならないので、漁労作業面での煩雑さを伴い、労力の軽減と共に課題が残る。【０００３】かご漁具を投網する場合、固定型および折りたたみ型共に人力によってかご漁具を持ち上げて海中に投入しなければならず、漁労作業における労力および安全性の面で課題を有する。
【問題を解決するための手段】
【０００４】本考案は、円錐の上部を水平方向に切除した形の上辺円周部に、浮体リング１、下辺円周部に丸鋼材リング２、中央やや上部に浮体機能を有する網成り保持リング３を配し、周囲を網地４によって囲み、さらに、その側辺部に対向するよう２箇所に穴を開け、内部に向けて、それぞれ、網地でできた漏斗を取り付けてトラップ５とした構造を有するかご漁具によって上記課題を解決できるようにした。
【考案の効果】
【０００５】本考案によれば、かご漁具が、船上にあっては、浮体リング１、網成り保持リング３および網地４の自重によって自然と上部が下辺の丸鋼材リング２に折り重なって扁平になるので、積載スペースを最小にとどめることができ、海中に投入すると、浮体リング１および網成り保持リング３に作用する浮力と丸鋼材リング２に働く沈降力によって自動的に立体的に展帳し、その状態で沈降して海底に敷設され、かご漁具としての機能を果たすことができるようにした。
【０００６】本考案よれば、操業過程中、投網前にかご漁具を組み立てたり、揚網後に組み立てを解くことを必要としないため、漁労作業面の煩雑さを取り除くと共に労力の軽減が図れる。
【０００７】本考案によれば、船の前進航走に伴う幹綱の繰り出しによって、枝綱を介して幹綱に結ばれ、舷縁に特設された台上に投網順に並べられたかご漁具を順次海中に投入して敷設できるので、本作業に関わる人手による海中投入の労力を省き、その効率化を図ると共に危険を防止することが可能である。
【図面の簡単な説明】
【０００８】
【図１】  かご漁具の海底敷設展帳斜視図
【図２】  同上の海中における側面図
【図３】  同上の船上における側面図
【図４】  同上平面図
【符号の説明】
【０００９】１  浮体リング
２  丸鋼材リング
３  網成り保持リング
４  網地
５  トラップ
６  網口
７  えさ袋
８  幹綱
９  枝綱
【図１】
0003128082.tif 000003
【図２】
0003128082.tif 000004
【図３】
0003128082.tif 000005
【図４】
0003128082.tif 000006
【手続補正書】
【提出日】平成18年9月7日(2006.9.7)
【手続補正１】
【補正対象書類名】実用新案登録請求の範囲
【補正対象項目名】全文
【補正方法】変更
【補正の内容】
【実用新案登録請求の範囲】
【請求項１】
円錐の上部を水平方向に切除した形の上辺円周部に、発泡樹脂材を使用して、断面が、円形、横長楕円形又は横長長方形となるように形成して環状とした浮力を有する浮体リング１、下辺円周部に鉄筋等の丸鋼材リング２、高さの中央やや上部にアルミパイプを円形に曲げて両端を溶接によって接合し水密とした浮体機能を有する網成り保持リング３を配し、周辺を網地４によって囲み、さらに、その側辺部に対向するよう２箇所に穴を開け内部に向けて、それぞれ網地でできた漏斗を取り付けてトラップ５とした構造を有し、船上にあっては、浮体リング１、網成り保持リング３および網地４の自重によって自然に上部が下辺の丸鋼材リング２に折り重なって扁平になり、海中に投入すると、浮体リング１および網成り保持リング３に作用する浮力と丸鋼材リング２に働く沈降力によって自動的に立体的に展帳し、その状態で沈降して海底に敷設され、本来の機能を果たすかご漁具。
(57)【要約】      （修正有）【課題】観光地などでカメラ撮影の時三脚を使用しない限り、また他人に撮影を依頼するなどしなければ自分又は、自分たち全員の撮影は困難であった。またどこで撮影したか場所の特定記録は不可能であった。【解決手段】そこで、カメラマウント用ネジに磁石部を設け、カメラに取付け、観光地看板などに取付ける磁性金属板プレートの上部球状又は、円弧面に加工された面に磁石カメラマウントを磁着させ撮影方向を簡単に調整し三脚のように使用し三脚、または人に頼らず撮影が可能となる。また、下方に曲げられた面の二次元バーコードを撮影する事により、位置情報と地域情報の記録が可能となる。【選択図】図１
0003128025.tif 000002
【実用新案登録請求の範囲】
【請求項１】
カメラマウント用ネジ部に取付け出来るネジを有し、ネジ部反対側に磁石部を持たせたカメラマウントネジ。
【請求項２】
請求項１のネジを有したカメラマウントをカメラに取付け、下方に曲げられた磁性金属板プレート上部が球状又は、円弧面に加工された面を有する磁性金属板プレート。
【請求項３】
請求項２の下方に曲げられた面に地図位置情報、地域情報の２つの二次元バーコードシールが張り付けられた磁性金属板プレート部。
【考案の詳細な説明】
【技術分野】
【０００１】
本考案は、永久磁石とこれを用いた２つの情報を持つ磁性金属板プレートに関するものである。
【背景技術】
【０００２】
三脚を使用して撮影していた、また撮影場所については、位置情報・地域情報は記録できなかった。
【０００３】
この改善策として、磁石付マウントと２つの情報を持つ磁性金属板プレートを使用することで改善される。
【考案の開示】
【考案が解決しようとする課題】
【０００４】
観光地などでカメラ撮影の時三脚を使用しない限り、また他人に撮影を依頼するなどしなければ自分又は、自分たち全員の撮影は困難であった。またどこで撮影したか場所の特定記録は不可能であった。
【課題を解決するための手段】
【０００５】
カメラマウント用ネジに磁石部を設け、カメラに取付け、磁性金属板プレート上部の球状又は、円弧面に加工された面に磁着させ撮影方向を簡単に調整し三脚のように使用し三脚、または人に頼らず撮影が可能となる。
またの下方に曲げられた面の二次元バーコードを撮影する事により後日、位置情報と地域情報の記録が可能となる。
【考案の効果】
【０００６】
本考案に係るカメラに取付けた磁着具と、球状又は、円弧面に加工された面に磁着させることで前後左右自在にカメラの向きを調整し取付け出来る。
また、本考案に係る下方に曲げられた面の二次元バーコードを撮影することにより位置情報、地域情報を収集できる。
【考案を実施するための最良の形態】
【０００７】
以下、本考案の実施例について説明する。
【実施例１】
【０００８】
図面を参照して説明すると、図１カメラマウント用ネジ部（１）に取付け出来るネジを有し、ネジ部反対側の磁石部（２）を、下方に曲げられた磁性金属板プレート上部が球状又は、円弧面に加工された面を有する磁性金属板プレート（３）に磁着させ前後左右に移動させカメラアングルを調整し撮影を行なう。
また撮影終了後、磁性金属板プレート面の二次元バーコード（４）を撮影することにより位置情報、地域情報を収集する。
【産業上の利用可能性】
【０００９】
写真撮影用の補助用具
地域情報提供補助用具
【図面の簡単な説明】
【００１０】
【図１】マウントとプレートの図面
【符号の説明】
【００１１】
はカメラマウント用ネジ部
は凹型の磁石部
は球状又は、円弧面に加工された面を有する磁性金属板プレート
位置情報、地域情報の二次元バーコード
【図１】
0003128025.tif 000003
【手続補正書】
【提出日】平成18年10月25日(2006.10.25)
【手続補正１】
【補正対象書類名】明細書
【補正対象項目名】００１０
【補正方法】変更
【補正の内容】
【００１０】
【図１】マウントとプレートの図面
【図２】取り付け参考図
【手続補正２】
【補正対象書類名】明細書
【補正対象項目名】００１１
【補正方法】変更
【補正の内容】
【００１１】
（１）はカメラマウント用ネジ部
（２）は凹型の磁石部
（３）は球状又は、円弧面に加工された面を有する磁性金属板プレート
（４）は位置情報、地域情報の二次元バーコード
【手続補正３】
【補正対象書類名】図面
【補正対象項目名】図２
【補正方法】追加
【補正の内容】
【図２】
0003128025.tif 000004
(57)【要約】【課題】うつ伏せ（下向き）に寝た状態でマッサージを受ける場合でも、男性患者が肉体的・感覚的に嫌な思いをすることが無く、気持ち良くマッサージを受けることが出来るベッド装置を提供することである。【解決手段】表面層が硬質材で構成されたベッド台１と、  前記ベッド台１上にうつ伏せで伏せた際、該うつ伏者の男性器が対応する位置に設けられた凹部２と、  前記凹部２に設けられた弾性材３とを具備する。【選択図】    図１
0003128030.tif 000002
【実用新案登録請求の範囲】
【請求項１】
表面層が硬質材で構成されたベッド台と、
前記ベッド台上にうつ伏せで伏せた際、該うつ伏者の男性器が対応する位置に設けられた弾性材
とを具備することを特徴とするベッド装置。
【請求項２】
表面層が硬質材で構成されたベッド台と、
前記ベッド台上にうつ伏せで伏せた際、該うつ伏者の男性器が対応する位置に設けられた凹部と、
前記凹部に設けられた弾性材
とを具備することを特徴とするベッド装置。
【請求項３】
ベッド台の表面に設けられたカバー体を更に具備することを特徴とする請求項１又は請求項２のベッド装置。
【請求項４】
弾性材が設けられている位置におけるベッド台の表面と弾性材が設けられていない位置におけるベッド台の表面とが略同じ高さであることを特徴とする請求項１〜請求項３いずれかのベッド装置。
【請求項５】
ベッド装置がマッサージ用のものであることを特徴とする請求項１〜請求項４いずれかのベッド装置。
【考案の詳細な説明】
【技術分野】
【０００１】
本考案は、特に、マッサージ用のベッド装置に関する。
【背景技術】
【０００２】
マッサージは、ベッド台の上に仰向け（上向き）又はうつ伏せ（下向き）に寝た状態で行われる。このようなマッサージに用いられるベッド台の表面は硬め（硬質）である。そして、仰向けに寝た状態でマッサージを受ける場合には、それ程の不都合が無い。しかしながら、うつ伏せに寝た状態でマッサージを受ける場合、被施術者が男性の場合、支障が有る。すなわち、男性がうつ伏せになった場合、硬質のベッド台表面に当たる男性器が硬質なベッド台に当り、施術中、何とも感触が悪い。折角、マッサージを受けて気持ち良くなろうとしているのに、その効果も何分の一かは低減してしまう。
【考案の開示】
【考案が解決しようとする課題】
【０００３】
従って、本考案が解決しようとする課題は、前記問題点を解決することである。すなわち、うつ伏せに寝た状態でマッサージを受ける場合でも、男性患者は肉体的・感覚的に嫌な思いをすることが無いベッド装置を提供することである。
【課題を解決するための手段】
【０００４】
前記の課題は、表面層が硬質材で構成されたベッド台と、
前記ベッド台上にうつ伏せで伏せた際、該うつ伏者の男性器が対応する位置に設けられた弾性材
とを具備することを特徴とするベッド装置によって解決される。
【０００５】
特に、表面層が硬質材で構成されたベッド台と、
前記ベッド台上にうつ伏せで伏せた際、該うつ伏者の男性器が対応する位置に設けられた凹部と、
前記凹部に設けられた弾性材
とを具備することを特徴とするベッド装置によって解決される。
【０００６】
特に、マッサージ用のベッド装置であって、
表面層が硬質材で構成されたベッド台と、
前記ベッド台上にうつ伏せで伏せた際、該うつ伏者の男性器が対応する位置に設けられた弾性材
とを具備することを特徴とするベッド装置によって解決される。
【０００７】
更には、マッサージ用のベッド装置であって、
表面層が硬質材で構成されたベッド台と、
前記ベッド台上にうつ伏せで伏せた際、該うつ伏者の男性器が対応する位置に設けられた凹部と、
前記凹部に設けられた弾性材
とを具備することを特徴とするベッド装置によって解決される。
【０００８】
又、上記のベッド装置であって、ベッド台の表面に設けられたカバー体を更に具備することを特徴とするベッド装置によって解決される。
【０００９】
又、上記のベッド装置であって、弾性材が設けられている位置におけるベッド台の表面と弾性材が設けられていない位置におけるベッド台の表面とが略同じ高さであることを特徴とするベッド装置によって解決される。
【考案の効果】
【００１０】
上記のように構成させた本考案のベッド装置は、男性がうつ伏せに寝た状態でマッサージを受ける場合に、男性器がベッド台表面に当る位置には弾性材が設けられていることから、男性器が当るベッド台表面は柔らかく、硬質材に当るものでは無いから、触感が悪くならない。
従って、気持ち良くマッサージを受けることが出来る。
【００１１】
尚、弾性材を設けた位置と弾性材を設けていない位置との間で高さを略同じにしているから、特に、違和感が無い。すなわち、弾性材を設ける位置のベッド台には凹部を設け、この凹部に弾性材を充填するようにしたから、全体の高さが略一定のものとなり、違和感が無いものとなる。
【００１２】
更には、ベッド台の表面にカバー体を設けたから、弾性材が設けられていることは判り難く、外観上も好ましくなる。
【考案を実施するための最良の形態】
【００１３】
図１は、本考案になるベッド装置の概略断面図である。
【００１４】
同図中、１はマッサージに際して用いられるベッド台である。尚、このベッド台は四本〜六本の脚が設けられているが、図示を省略した。
【００１５】
ベッド台１は、その表面が硬質な素材で構成されている。勿論、硬質と謂えども、金属の如きの硬質なものでは無く、マッサージ業界で従来から用いられているベッド台の程度の硬さである。
【００１６】
ベッド台１の表面には、患者（被施術者）である男性がうつ伏せになった寝た際、該男性の男性器が対応する位置に凹部２が形成されている。勿論、この凹部位置は、男性の身長によって多少の相違が有ることから、多少の余裕を持った大きさのものである。例えば、身長が１９０ｃｍの男性でも、身長が１６０ｃｍの男性でも対応が可能なように余裕を持った大きさで形成されている。
【００１７】
３は、凹部２に充填された非常に柔らからなクッション材である。従って、ベッド台１上に男性がうつ伏せになって寝た場合、その男性の男性器はクッシヨン材３の位置に位置することになる。そして、男性器からの圧力を受け、クッション材３は多少圧縮される。しかしながら、クッション材３は柔らかなことから、この時、男性側には大きな圧迫感を与えることが無い。すなわち、うつ伏せに寝ても大きな違和感を感じることが無いから、非常に気持ち良くマッサージを受けることが出来る。因みに、このベッド台上に乗って施術を受けた５人の男性患者に感想を聴いた処、全員から好ましい旨の回答が得られた。
【００１８】
尚、図１からも判る通り、患者がベッド台上に伏せていない場合には、クッシヨン材３が設けられている位置とクッシヨン材３が設けられていない位置との間で、その高さが同じとなるようクッション材３は設けられている。
【００１９】
４は、ベッド台１上に被せられたシートである。すなわち、シート４の存在によって、クッション材３が特別に設けられているとは判らないようになっている。
【図面の簡単な説明】
【００２０】
【図１】本考案になるベッド装置の概略断面図
【符号の説明】
【００２１】
１      ベッド台
２      凹部
３      クッション材
４      シート
代  理  人  宇  高  克  己
【図１】
0003128030.tif 000003
(57)【要約】      （修正有）【課題】如何なる場所でも取り付けられる吊りカーテンを提供する。【解決手段】布から成るプレート状の本体と結合部材とを備え、前記本体における長手方向の一側に所定の間隔で複数列の装飾ボールが吊着されるとともに、一面に面ファスナーが設けられ、前記結合部材は、前記本体における前記面ファスナーと結合することの可能な面ファスナーであることを特徴とする。【選択図】図１
0003128054.tif 000002
【実用新案登録請求の範囲】
【請求項１】
布から成るプレート状の本体と結合部材とを備え、前記本体における長手方向の一側に所定の間隔で複数列の装飾ボールが吊着されるとともに、一面に面ファスナーが設けられ、
前記結合部材は、前記本体における前記面ファスナーと結合することの可能な面ファスナーであることを特徴とする吊りカーテン。
【請求項２】
前記結合部材に取付パイプが設けられるとともに、前記取付パイプに貫設される取付ロッドが貫設されることを特徴とする請求項１記載の吊りカーテン。
【請求項３】
前記本体における前記面ファスナーは、縫着又は接着手段によって前記本体と結合することを特徴とする請求項１または請求項２記載の吊りカーテン。
【考案の詳細な説明】
【技術分野】
【０００１】
本考案は、特に如何なる場所でも取り付けられる吊りカーテンに関するものである。
【背景技術】
【０００２】
従来の吊りカーテンは、扉枠又は窓枠に取り付けることにより、室内の装飾効果を達成でき、例えば、本願出願人により出願された台湾実用新案第Ｍ２６９０１３号「吊りカーテン構造」は、掛け布と取付ロッドを備え、該掛け布の一側に取付パイプが縫着され、該取付パイプの外側に所定の間隔で複数列の装飾ボールが吊着され、該取付ロッドは伸縮可能なロッドであり、該掛け布の取付パイプに貫設することができる。
【考案の開示】
【考案が解決しようとする課題】
【０００３】
しかしながら、前記従来の吊りカーテンを使用する場合は、必ず取付ロッドが設置可能な場所にしか吊りカーテンを設置することができず、設置場所の幅が取付ロッドの長さより長いと、この吊りカーテンを設置することができない。
【０００４】
そこで、案出されたのが本考案であって、如何なる場所でも取り付けられる吊りカーテンを提供することを目的としている。
【課題を解決するための手段】
【０００５】
本願の請求項１の考案は、布から成るプレート状の本体と結合部材とを備え、前記本体における長手方向の一側に所定の間隔で複数列の装飾ボールが吊着されるとともに、一面に面ファスナーが設けられ、前記結合部材は、前記本体における前記面ファスナーと結合することの可能な面ファスナーであることを特徴とする吊りカーテンを提供する。
【０００６】
本願の請求項２の考案は、前記結合部材に設けられる取付パイプと、該取付パイプに貫設される取付ロッドとを有することを特徴とする請求項１記載の吊りカーテンを提供する。
【０００７】
本願の請求項３の考案は、前記本体における面ファスナーは、縫着又は接着手段により本体と結合することを特徴とする請求項１または請求項２記載の吊りカーテンを提供する。
【考案の効果】
【０００８】
本考案は上記の課題を解決するものであり、本体と結合部材とを備え、該結合部材により、従来のような取付ロッドを有しなくても、本体を簡単に壁や扉枠や窓枠に取り付けることができるので、使用の利便性を向上することができる。
【考案を実施するための最良の形態】
【０００９】
以下、添付図面を参照して本考案の好適な実施の形態を詳細に説明する。  
なお、下記実施例は、本考案の好適な実施の形態を示したものに過ぎず、本考案の技術的範囲は、下記実施例そのものに何ら限定されるものではない。
【００１０】
図１は、本考案に係る吊りカーテンの第１実施例を示す分解斜視図であり、図２は、本考案に係る吊りカーテンの第１実施例の使用状態を示す縦方向断面図であり、図３は、本考案に係る吊りカーテンの第２実施例を示す分解斜視図であり、図４は、本考案に係る吊りカーテンの第２実施例の使用状態を示す縦方向断面図である。
【００１１】
図１および図２に示すように、本考案に係る吊りカーテンの第１実施例は、本体（１０）と結合部材（１３）とを備え、該本体（１０）は布から成るプレートであり、長手方向の一側に所定の間隔で複数列の装飾ボール（１１）が設けられると共に、一面に面ファスナー（１２）が設けられている。
【００１２】
また、上記結合部材（１３）は、本体（１０）における面ファスナー（１２）と結合することの可能な面ファスナーである。
【００１３】
本考案に係る吊りカーテンを使用する場合、釘が本体（１０）を貫通することにより、本体（１０）を扉枠や窓枠に設置することができ、または結合部材（１３）を先に設置場所に設置した後、本体（１０）の面ファスナー（１２）を結合部材（１３）と結合することにより、本体（１０）を設置場所に設置させる。
【００１４】
また、図３および図４に示すように、本考案に係る吊りカーテンの第２実施例は、さらに結合部材（１３）に取付パイプ（２０）が設けられるとともに、この取付パイプ（２０）に貫設される取付ロッド（２１）が貫設される。
【００１５】
この実施例を通路に適用しようとする場合、従来と同じように、先ず取付ロッド（２０）を通路の壁に取付けた後、結合部材（１３）の面ファスナーと本体（１０）の面ファスナー（１２）の結合により、簡単に吊りカーテンを設置することができる。
【００１６】
また、前記本体（１０）における面ファスナー（１２）は、縫着あるいは接着手段により本体（１０）と結合することができ、または本体（１０）と一体形成にしてもよい。
【産業上の利用可能性】
【００１７】
本考案は、上述した如き構成を有し、本体と結合部材とを備え、この結合部材により、従来のような取付ロッドを有しなくても、本体を簡単に壁や扉枠や窓枠に取り付けることができるので、使用の利便性を向上することができる。
【図面の簡単な説明】
【００１８】
【図１】本考案に係る吊りカーテンの第１実施例を示す分解斜視図。
【図２】本考案に係る吊りカーテンの第１実施例の使用状態を示す縦方向断面図。
【図３】本考案に係る吊りカーテンの第２実施例を示す分解斜視図。
【図４】本考案に係る吊りカーテンの第２実施例の使用状態を示す縦方向断面図。
【符号の説明】
【００１９】
１０…本体、
１１…装飾ボール、
１２…面ファスナー、
１３…結合部材、
２０…取付パイプ、
２１…取付ロッド。
【図１】
0003128054.tif 000003
【図２】
0003128054.tif 000004
【図３】
0003128054.tif 000005
【図４】
0003128054.tif 000006
(57)【要約】【課題】  無着色状態と着色状態の両方の変化を繰り返し楽しむことができる斬新なボディシールを提供する。【解決手段】  上面に図形、文字等２の輪郭線３及び該輪郭線３の内部に無色の紫外線発色インキ４が印刷表示された転写シート１と、該転写シート１の前記印刷表示面の上面に形成された接着剤層５と、該接着剤層５の上面に設けられた剥離自在の透明保護シート６と、からなるボディシール。【選択図】図１
0003128012.tif 000002
【実用新案登録請求の範囲】
【請求項１】
上面に、図形、文字等の輪郭線及び該輪郭線の内部に無色の紫外線発色インキが印刷表示された転写シートと、該転写シートの前記印刷表示面の上面に形成された接着剤層と、該接着剤層の上面に設けられた剥離自在の透明保護シートと、からなることを特徴とするボディシール。
【考案の詳細な説明】
【技術分野】
【０００１】
本考案は、ボディシールに関し、詳しくは、図形、文字等の無着色状態と着色状態の両方の変化を繰り返し楽しむことができる斬新なボディシールに関する。
【背景技術】
【０００２】
従来、ボディシールとして、予め、無着色状態あるいは着色状態の定められた図形、文字等を転写するものが提供されている。すなわち、予め、完成された図形、文字等が印刷表示された転写シートの上面に接着剤層を形成し、さらに該接着剤層の上面に剥離紙を設けたものであった。
【考案の開示】
【考案が解決しようとする課題】
【０００３】
前記従来のボディシールは、無着色状態あるいは着色状態の定められた図形、文字等を転写するだけのものであり、転写後に変化がなく、斬新さに欠けるものであった。
【０００４】
本考案は、前記事情に鑑み、無着色状態と着色状態の両方の変化を繰り返し楽しむことができる斬新なボディシールを提供することを目的とする。また、企業のロゴマーク、商品等を印刷表示して企業の広告、商品販売促進のために利用することが可能であり、その使用は人体に限定されないものである。
【課題を解決するための手段】
【０００５】
前記目的達成のために、本考案は、上面に、図形、文字等の輪郭線及び該輪郭線の内部に無色の紫外線発色インキが印刷表示された転写シートと、該転写シートの前記印刷表示面の上面に形成された接着剤層と、該接着剤層の上面に設けられた剥離自在の透明保護シートと、からなることを特徴とする。
【０００６】
前記本考案によれば、例えば、屋内において人体に転写した場合には、前記図形、文字等の輪郭線のみが表示される。
【０００７】
その後、屋外に出た場合、特に、晴天の場合には、前記輪郭線の内部の紫外線発色インキが発色し、紫、青あるいは赤等の着色が表れるものである。
【０００８】
その後、屋内に戻れば、前記着色が消えて前記図形、文字等の輪郭線のみの無着色状態に復帰するものであり、該無着色状態及び前記着色状態の変化を繰り返し楽しむことができる。
【考案の効果】
【０００９】
本考案に係るボディシールによれば、無着色状態及び着色状態の両方の変化を繰り返し楽しむことができる。また、企業のロゴマーク、商品等を印刷表示して企業の広告、商品の販売促進のために利用することが可能であり、その使用は人体に限ることなく物品への転写も自由である効果が得られる。
【考案を実施するための最良の形態】
【００１０】
以下に、本考案の実施の一形態を図面に基づいて説明する。図１は、本考案に係るボディシールの平面図、図２は、本考案に係るボディシールの一部拡大断面図、図３は、本考案に係るボディシールの無着色状態から着色状態への変化を示す平面図である。
【００１１】
図中、１は、転写シートであり、その上面には、まず、図形、文字等２の輪郭線３が印刷される。つぎに、前記輪郭線３の内部には、無色の紫外線発色インキ（帝国インキ製造株式会社：ＰＴＭ１２５ＳＮＯ／ＥＧインキシリーズ）４が印刷表示される。
【００１２】
さらに、前記転写シート１の前記図形、文字等２を表す輪郭線３及び無色の紫外線発色インキ４からなる印刷表示面の上面に接着剤層５が形成される。つぎに、前記接着剤層５の上面に剥離自在の透明保護シート６が設けられる。
【００１３】
前記構成の本考案の使用は、前記ボディシールを貼る部分、すなわち、人体の場合には、例えば、腕等の汗や汚れを拭き取り、つぎに、前記透明保護シート６を剥離する。
【００１４】
その後、前記図形、文字等２及び無色の紫外線発色インキ４の印刷表示面を前記腕等に接着する。その結果、前記印刷表示面の上面に形成された接着剤層５によって前記転写シート１が接着される。
【００１５】
その後、前記転写シート１の裏面から水を充分に浸透させて、１５〜２０秒の時間をおき、前記転写シート１をゆっくりと剥離する。その結果、前記印刷表示面及び接着剤層５が前記腕等に転写される。その後、約１分程度の乾燥時間をおき、表面の接着剤を水で洗い流すことにより完了する。
【００１６】
前記のごとく、本考案は、上面に図形、文字等２の輪郭線３が印刷表示され、さらに、該輪郭線３の内部に無色の紫外線発色インキ４を印刷表示してなるものであり、転写した場合に、屋内においては、図３（Ａ）に示すように、前記図形、文字等２の輪郭線３のみが表示され、その後、屋外に出た場合、特に、晴天の場合には、図３（Ｂ）に示すように、前記輪郭線３の内部の紫外線発色インキ４が発色し、紫、青あるいは赤等の着色が表れ、図形、文字等の無着色状態と着色状態の両方の変化を繰り返し楽しむことができるものである。
【産業上の利用可能性】
【００１７】
本考案は、斬新なボディシールとして無着色状態及び着色状態の両方の変化を繰り返し楽しむことができるほか、企業のロゴマーク、商品等を印刷表示して企業の広告、商品販売促進のために利用することが可能であり、産業上も利用可能性も大である。
【図面の簡単な説明】
【００１８】
【図１】本考案に係るボディシールの平面図である。
【図２】本考案に係るボディシールの一部拡大断面図である。
【図３】本考案に係るボディシールの無着色状態から着色状態への変化を示す平面図である。
【符号の説明】
【００１９】
１    転写シート
２    図形、文字等
３    輪郭線
４    紫外線発色インキ
５    接着剤層
６    透明保護シート
【図１】
0003128012.tif 000003
【図２】
0003128012.tif 000004
【図３】
0003128012.tif 000005